(57)【要約】【課題】  局地的大量雨量の洪水被害又は地震による津波被害を防止すると共に大型回転子により河川敷き又は海岸線で自然エネルギーの大きな電力を提供し地方自治体とその住民及び発電電力会社の三方に良い全国津々浦々の地方創生を実施することを目的とする。。【解決手段】  川面又は海面より上部で回転し複数の水力用ブレード又は風力用ブレードを略等間隔の角度で配置された複数の回転翼を保持する円板型内側回転子と前記円板型内側回転子を回転可能に支持する外側回転子支承部を備えた水力発電部材又は風力発電部材と、堤防固定壁の幅と嵌め合う幅の両壁を底部に備えた細長い空間を保有する堤防部材、或いは  堤防固定壁又は太い堤防固定円柱により固定され両壁の間に空間を保有する堤防部材、又は  コンクリート溝と嵌め合う堤防部材と、前記水力発電部材又は風力発電部材の外側回転子支承部を保持する発電部材保持部材を具備する。【選択図】なし【特許請求の範囲】
【請求項１】
河川の両岸或いは両岸近傍河川内の河川側堤防固定壁側面又は海岸線の海側堤防固定壁側面と河川側又は海側の内側壁が接触すると共に反対側の壁が太い堤防固定柱により固定された両壁の間に空間を保有する堤防部材を具備することを特徴とする  洪水防止堤防  又は  津波防止堤防。
【請求項２】
太い堤防固定柱を貫通し嵌め合う穴を保有する管を壁の一端又は壁の側面に備えると共に堤防固定壁の幅と嵌め合う幅の両壁を底部に備えた細長い空間を保有する堤防部材を具備することを特徴とする  洪水防止堤防  又は  津波防止堤防。
【請求項３】
太い堤防固定柱を貫通し嵌め合う穴を保有する管を壁の一端又は壁の側面に備えると共に底部はコンクリート溝と嵌め合う堤防部材を具備することを特徴とする  洪水防止堤防  又は  津波防止堤防。
【請求項４】
川岸両岸或いは川岸両岸近傍の河川内に設置された両壁の間に空間を保有する堤防部材、或いは細長い空間を保有する堤防部材、又はコンクリート溝と嵌め合う堤防部材のそれぞれの堤防部材及び橋梁或いは鉄道の鉄橋を内部に包容するトンネルを具備し、前記トンネルとそれぞれの前記堤防部材とが隙間がないように構成されることを特徴とする請求項１〜３記載の洪水防止堤防。
【請求項５】
橋梁或いは鉄道の鉄橋を内部に包容する前記トンネルは二つの半円形鉄板を溶接されることを特徴とする請求項４記載の洪水防止堤防。
【請求項６】
複数の水力用ブレード又は風力用ブレードを略等間隔の角度で配置された複数の回転翼により川面又は海面より上部で回転する大型回転子と
前記大型回転子を支承する外側回転子支承部と
前記大型回転子が回転することにより発電する発電部
を備えた水力発電部材又は風力発電部材と、
堤防固定壁の幅と嵌め合う幅の両壁を底部に備えた細長い空間を保有する堤防部材、或いは堤防固定壁又は太い堤防固定柱により固定され両壁の間に空間を保有する堤防部材、又は  コンクリート溝と嵌め合う堤防部材と、
それぞれの前記堤防部材又は前記堤防固定柱の上部に備えられた前記外側回転子支承部を保持する発電部材保持部材
を具備する  洪水防止堤防  又は  津波防止堤防。
【請求項７】
複数の水力用ブレード又は風力用ブレードを略等間隔の角度で配置された複数の回転翼により川面又は海面より上部で回転する円板型内側回転子或いは円板型円筒内側回転子と
前記円板型内側回転子或いは円板型円筒内側回転子を回転可能に支承する外側回転子支承部であって前記円板型内側回転子或いは円板型円筒内側回転子を内側で支承する前記外側回転子支承部と
前記円板型内側回転子或いは円板型円筒内側回転子が前記外側回転子支承部の内側で回転することにより発電する発電部を
備えた水力発電部材又は風力発電部材と、
堤防固定壁の幅と嵌め合う幅の両壁を底部に備えた細長い空間を保有する堤防部材、或いは堤防固定壁又は太い堤防固定柱により固定され両壁の間に空間を保有する堤防部材、又は  コンクリート溝と嵌め合う堤防部材と、
それぞれの前記堤防部材又は前記堤防固定柱の上部に備えられた前記外側回転子支承部を保持する発電部材保持部材を具備する  洪水防止堤防  又は  津波防止堤防。
【請求項８】
中央に歯車と前記歯車の前後にそれぞれ内側回転子或いは円筒内側回転子を保有する円板型内側回転子或いは円板型円筒内側回転子であって複数の水力用ブレード又は風力用ブレードを略等間隔の角度で配置された複数の回転翼により川面又は海面より上部で回転する前記円板型内側回転子或いは円板型円筒内側回転子と
前記歯車の前後の内側回転子或いは円筒内側回転子を回転可能に支承する前外側回転支承部及び後外側回転支承部であって前記内側回転子或いは円筒内側回転子を内側で支承する前外側回転支承部及び後外側回転支承部を保有すると共に前記歯車の幅より大きな間隔を有する間隔部材で固定された外側回転子支承部と
前記円板型内側回転子或いは円板型円筒内側回転子が前記前外側回転支承部及び後外側回転支承部の内側で回転するにより発電する発電部を
備えた水力発電部材又は風力発電部材と、
堤防固定壁の幅と嵌め合う幅の両壁を底部に備えた細長い空間を保有する堤防部材、或いは堤防固定壁又は太い堤防固定柱により固定され両壁の間に空間を保有する堤防部材、又は  コンクリート溝と嵌め合う堤防部材と、
それぞれの前記堤防部材又は前記堤防固定柱の上部に備えられた前記外側回転子支承部を保持する発電部材保持部材を具備する  洪水防止堤防  又は  津波防止堤防。
【請求項９】
前記複数の回転翼が複数の水力用ブレード又は風力用ブレードを略等間隔の角度で斜め方向に配置されることを特徴とする請求項６〜８記載の  洪水防止堤防  又は  津波防止堤防。
【発明の詳細な説明】
【技術分野】
【０００１】  本発明は洪水防止堤防又は津波防止堤防  に関する。
【背景技術】
【背景技術】
【０００２】  地球温暖化のために  局地的大量雨量の発生による洪水被害  又は  地震による津波被害が多発している。【０００３】  本発明は  洪水防止堤防  又は  津波防止堤防  を提供することを目的とし、その堤防で自然エネルギーである水力発電又は風力発電が可能にすることを更なる目的とする。
河川敷き又は海岸線利用の複合施設（特開２００７−９６６２号）及び河川水力発電装置（特開２０１７−０７５６１３号）が既に提案されている。
【先行技術文献】
【特許文献】
【０００４】
【特許文献１】特開２００７−９６６２号
【特許文献２】特開２０１７−０７５６１３号
【発明の概要】
【発明が解決しようとする課題】
【０００５】  本発明の目的は、局地的大量雨量による洪水被害を防止する洪水防止堤防  又は  地震による津波被害を防止する津波防止堤防  を提供することである。
【課題を解決するための手段】
【０００６】  本発明は、洪水被害を防止する洪水防止堤防  又は  津波被害を防止する津波防止堤防  の提供をその第一の目的ととする。また、複数の水力用ブレード又は風力用ブレードを略等間隔の角度で配置された複数の回転翼により川面又は海面より上部で回転する大型回転子を備えた水力発電部材又は風力発電部材と  川岸両岸又は海岸線に設置され前記水力発電部材又は風力発電部材を保持する発電部材保持部  を具備する洪水防止堤防  又は  津波防止堤防  を提供することを更なる目的とする。
本発明において大型回転子は川面又は海面より上部で回転し複数の水力用ブレード又は風力用ブレードを略等間隔の角度で配置された複数の回転翼を保持する。
本発明において大型回転子とは円板型内側回転子或いは円板型円筒内側回転子又は中心軸を中心に回転する大型円形回転子を意味し、”円板型内側回転子或いは円板型円筒内側回転子”とは外形に比較して厚みが小さい”内側回転子或いは円筒内側回転子”を意味する。前記大型回転子に連動する磁石又はコイルが配置され電磁誘導により公知の如く発電する。
請求項１記載の  洪水防止堤防  又は  津波防止堤防  は、河川の両岸或いは両岸近傍河川内の河川側堤防固定壁側面又は海岸線の海側堤防固定壁側面と河川側又は海側の内側壁が接触すると共に反対側の壁が太い堤防固定柱により固定された両壁の間に空間を保有する堤防部材を具備することを特徴とする。
請求項２記載の  洪水防止堤防  又は  津波防止堤防  は、太い堤防固定柱を貫通し嵌め合う穴を保有する管を壁の一端又は壁の側面に備えると共に堤防固定壁の幅と嵌め合う幅の両壁を底部に備えた細長い空間を保有する堤防部材を具備することを特徴とする。
請求項３記載の  洪水防止堤防  又は  津波防止堤防  は、太い堤防固定柱を貫通し嵌め合う穴を保有する管を壁の一端又は壁の側面に備えると共に底部はコンクリート溝と嵌め合う堤防部材を具備することを特徴とする。
請求項４記載の  洪水防止堤防は、川岸両岸或いは川岸両岸近傍の河川内に設置された前記両壁の間に空間を保有する堤防部材、或いは  細長い空間を保有する堤防部材、又は  コンリート溝と嵌め合う堤防部材の  それぞれの堤防部材  及び橋梁或いは鉄道の鉄橋を内部に包容するトンネルを具備し、前記トンネルとそれぞれの前記堤防部材とが隙間がないように構成されることを特徴とする請求項１〜３記載の洪水防止堤防である。
請求項５記載の  洪水防止堤防は、橋梁或いは鉄道の鉄橋を内部に包容する前記トンネルは二つの半円形鉄板を溶接されることを特徴とする請求項４記載の洪水防止堤防である。
請求項６記載の洪水防止堤防又は津波防止堤防は、複数の水力用ブレード又は風力用ブレードを略等間隔の角度で配置された複数の回転翼により川面又は海面より上部で回転する大型回転子と  前記大型回転子を支承する外側回転子支承部と  前記大型回転子が回転することにより発電する発電部  を備えた水力発電部材又は風力発電部材と、堤防固定壁の幅と嵌め合う幅の両壁を底部に備えた細長い空間を保有する堤防部材、或いは  堤防固定壁又は太い堤防固定柱により固定され両壁の間に空間を保有する堤防部材、又は  コンクリート溝と嵌め合う堤防部材と、それぞれの前記堤防部材又は前記堤防固定柱の上部に備えられた前記外側回転子支承部を保持する発電部材保持部材を具備する。
請求項７記載の  洪水防止堤防  又は  津波防止堤防  は、複数の水力用ブレード又は風力用ブレードを略等間隔の角度で配置された複数の回転翼により川面又は海面より上部で回転する円板型内側回転子或いは円板型円筒内側回転子と  前記円板型内側回転子或いは円板型円筒内側回転子を回転可能に支承する外側回転子支承部であって前記円板型内側回転子或いは円板型円筒内側回転子を内側で支承する前記外側回転子支承部と  前記円板型内側回転子或いは円板型円筒内側回転子が前記外側回転子支承部の内側で回転することにより発電する発電部  を備えた水力発電部材又は風力発電部材と、堤防固定壁の幅と嵌め合う幅の両壁を底部に備えた細長い空間を保有する堤防部材、或いは  堤防固定壁又は太い堤防固定柱により固定され両壁の間に空間を保有する堤防部材、又は  コンクリート溝と嵌め合う堤防部材と、それぞれの前記堤防部材又は前記堤防固定柱の上部に備えられた前記外側回転子支承部を保持する発電部材保持部材を具備する。
請求項８記載の  洪水防止堤防  又は  津波防止堤防  は、中央に歯車と前記歯車の前後にそれぞれ内側回転子或いは円筒内側回転子を保有する円板型内側回転子或いは円板型円筒内側回転子であって複数の水力用ブレード又は風力用ブレードを略等間隔の角度で配置された複数の回転翼により川面又は海面より上部で回転する前記円板型内側回転子或いは円板型円筒内側回転子と  前記歯車の前後の内側回転子或いは円筒内側回転子を回転可能に支承する前外側回転支承部及び後外側回転支承部であって前記内側回転子或いは円筒内側回転子を内側で支承する前外側回転支承部及び後外側回転支承部を保有すると共に前記歯車の幅より大きな間隔を有する間隔部材で固定された外側回転子支承部と  前記円板型内側回転子或いは円板型円筒内側回転子が前記前外側回転支承部及び後外側回転支承部の内側で回転するにより発電する発電部  を備えた水力発電部材又は風力発電部材と、堤防固定壁の幅と嵌め合う幅の両壁を底部に備えた細長い空間を保有する堤防部材、或いは  堤防固定壁又は太い堤防固定柱により固定され両壁の間に空間を保有する堤防部材、又は  コンクリート溝と嵌め合う堤防部材と、それぞれの前記堤防部材又は前記堤防固定柱の上部に備えられた前記外側回転子支承部を保持する発電部材保持部材を具備する。
請求項９記載の  洪水防止堤防  又は  津波防止堤防  は、前記複数の回転翼が複数の水力用ブレード又は風力用ブレードを略等間隔の角度で斜め方向に配置されることを特徴とする請求項６〜８記載の洪水防止堤防  又は  津波防止堤防である。
【発明の効果】
【０００７】  本発明によれば局地的大量雨量による洪水被害又は地震発生による津波被害を防止することが可能となる。
また、水力用ブレード又は風力用ブレードを略等間隔の角度で斜め方向に配置された複数の回転翼を保有する大型回転子が川面又は海面より上部で回転するので大きな電力を発生可能な外形であり、複数の水力用ブレード又は風力用ブレードが大型で大きな電力の発生も可能となる。また、本発明によれば発生した電力を地方自治体とその住民及び発電電力会社の三方に良い全国津々浦々の地方創生ができる。
【発明を実施するための形態】
【０００８】  本発明の  洪水防止堤防  又は  津波防止堤防  は、複数の水力用ブレード又は風力用ブレードを略等間隔の角度で斜め方向に配置された複数の回転翼を保持すると共に川面又は海面より上部で回転する大型円形回転子としての円板型内側回転子或いは円板型円筒内側回転子と  前記円板型内側回転子或いは円板型円筒内側回転子を回転可能に支承する外側回転子支承部であって前記円板型内側回転子或いは円板型円筒内側回転子を内側で支承する前記外側回転子支承部と  前記大型円形回転子が回転することにより発電する発電部  を備えた水力発電部材又は風力発電部材と、堤防固定壁の幅と嵌め合う幅の両壁を底部に備えた細長い空間を保有する堤防部材、例えば河岸又は海岸線近傍に５メートル幅の鉄板を垂直に打ち込んで設置された堤防固定壁の幅と嵌め合う幅の両壁を底部に備えると共に高く太い堤防固定円柱を貫通し嵌め合う穴を保有する管を壁の一端又は壁の側面に備えた細長い空間を保有するコ型堤防鉄板、或いは  堤防連続固定壁又は高く太い堤防固定円柱により固定された両壁の間に空間を保有する堤防部材、例えば河川側又は海側の堤防連続固定壁側面と片方壁の内側が接触すると共に他方壁が河川側又は海側と反対側で受け台により支えられ太い堤防固定円柱により固定された両壁の間に空間を保有するコ型堤防鉄板、又は  高く太い堤防固定円柱を貫通し嵌め合う穴を保有する管を壁の一端又は壁の側面に備えると共に底部はコンクリート溝と嵌め合う堤防部材、例えばコンクリート溝と嵌め合う一定の幅の堤防鉄板或いはコンクリート堤防壁と、それぞれの前記堤防部材又は前記堤防固定円柱の上部に備えられた前記外側回転子支承部を保持する発電部材保持部材を具備する。
なお、”斜め方向”とは複数の水力用ブレード又は風力用ブレードが略等間隔の角度で垂直面とは一定の角度である”斜め方向”に配置された複数の回転翼を意味し、あらゆる方向の風に前記複数の回転翼が回転可能となる。
複数の水力用ブレード又は風力用ブレードを略等間隔の角度で斜め方向に配置された前記複数の回転翼は前記洪水防止堤防又は前記津波防止堤防の両側で回転可能である。
前記円板型内側回転子或いは円板型内側円筒回転子を内側で支承する前記外側回転子支承部は例えばボール或いはコロを介して回転可能に支承する実施例も可能である。
前記堤防連続固定壁又は堤防固定壁は旧来の堤防を利用することが出来る。
前記両壁の間に一定幅の空間を保有するコ型堤防鉄板は、隣のコ型堤防鉄板の両壁と繋ぐために両壁を溶接で繋ぎ、又は  両方の堤防鉄板のそれぞれの板厚と嵌め合う溝を備えた太い厚さの両腕を保有する肉厚の繋補助部材でそれぞれの堤防鉄板の壁を繋ぐ。前記細長い空間を保有するコ型堤防鉄板  或いは  前記コンクリート溝と底部が嵌め合う堤防鉄板或いはコンクリート堤防壁は、太い堤防固定円柱を貫通し嵌め合う穴を保有するそれぞれの堤防鉄板或いはコンクリート堤防壁の一端の壁の前記管を貫通し嵌め合うと共にそれぞれの堤防鉄板或いはコンクリート堤防壁の一端の壁の板厚或いは壁厚以上の切りの欠き穴を備えた太い厚さの切り欠き管を保有すると共に前記堤防鉄板或いはコンクリート堤防壁のそれぞれの他端の壁の板厚或いは壁厚と嵌め合う溝を備えた太い厚さの腕を保有する肉厚ある繋補助部材によりそれぞれの堤防鉄板或いはコンクリート堤防壁の他端と繋ぐ。
前記細長い空間を保有するコ型堤防鉄板  或いは  前記コンクリート溝と嵌め合う堤防鉄板或いはコンクリート堤防壁は、太い堤防固定円柱を貫通し嵌め合う穴を保有する管が壁の一端とは別体の実施例も可能で、太い堤防固定円柱を貫通し嵌め合う穴を保有する管を保有すると共にそれぞれの堤防鉄板或いはコンクリート堤防壁の両端の板厚或いは壁厚と嵌め合う溝を備えた両腕を保有する肉厚ある繋補助部材によりそれぞれの両端と係合して繋ぐ。
前記細長い空間を保有するコ型堤防鉄板  又は  前記コンクリート溝と嵌め合う堤防鉄板或いはコンクリート堤防壁は、太い堤防固定円柱を貫通し嵌め合う穴を保有する管がそれぞれの堤防鉄板壁或いはコンクリート堤防壁の側面に備えた実施例も可能で、太い堤防固定円柱を貫通し嵌め合う穴を保有する管を保有すると共にそれぞれの堤防鉄板或いはコンクリート堤防壁の両端の板厚或いは壁厚と嵌め合う溝を備えた両腕を保有する肉厚ある繋補助部材によりそれぞれの堤防鉄板或いはコンクリート堤防壁の両端と係合して繋ぐ。
前記両壁の間に一定幅の空間を保有するコ型堤防鉄板は、両壁の間に空間を保有する堤防鉄板あればＨ型鉄製堤防鉄板でもよい。
前記両壁の間に一定幅の空間を保有するコ型堤防鉄板の幅を広くしてトンネル部を例えば二車線の車用道路とし、コ型堤防鉄板上部を車用道路及び歩道の利用も可能である。また、前記歩道から川岸又は海辺に降りる階段又はエレベーターを設置することも出来る。
Ｈ型鉄製堤防鉄板の場合  例えば二車線の車用道路を二階にし、天井に鉄板を備え車用道路及び歩道として利用することも出来る。
【０００９】  本発明による洪水防止堤防の第一実施態様は、複数の水力用ブレード又は風力用ブレードを略等間隔の角度で斜め方向に配置された複数の回転翼を保持し川面の上部で回転する円板型内側回転子或いは円板型円筒内側回転子と  前記円板型内側回転子或いは円板型円筒内側回転子を回転可能に支承する外側回転子支承部であって前記円板型内側回転子或いは円板型円筒内側回転子を内側で支承する前記外側回転子支承部と  前記円板型内側回転子或いは円板型円筒内側回転子が前記外側回転子支承部の内側で回転することにより発電する発電部  を備えた水力発電部材又は風力発電部材と、堤防固定壁の幅と嵌め合う幅の両壁を底部に備えると共に太い堤防固定円柱を貫通し嵌め合う穴を保有する管を壁の一端に備えた細長い空間を保有するコ型堤防鉄板、或いは  河川両側の河川側堤防連続固定壁側面と河川側の内側壁が接触すると共に反対側の壁が受け台により支えられ太い堤防固定円柱により固定された両壁の間に一定幅の空間を保有するコ型堤防鉄板、又は  太い堤防固定円柱を貫通し嵌め合う穴を保有する管を壁の一端に備えると共に底部はコンクリート溝と嵌め合う堤防鉄板或いはコンクリート堤防壁と、それぞれの前記堤防鉄板又は前記太い堤防固定円柱に備えられた前記外側回転子支承部を保持する発電部材保持部材を具備する。
本発明による洪水防止堤防の第二実施態様は、複数の水力用ブレード又は風力用ブレードを略等間隔の角度で斜め方向に配置された複数の回転翼を保持し中心軸を中心に外側で回転する大型円形回転子と  前記大型円形回転子を支承する外側回転子支承部と  前記大型円形回転子が回転することにより発電する発電部  を備えた水力発電部材又は風力発電部材と、堤防固定壁の幅と嵌め合う幅の両壁を底部に備えると共に太い堤防固定円柱を貫通し嵌め合う穴を保有する管を壁の側面に備えた細長い空間を保有するコ型堤防鉄板、或いは  河川両側堤防連続固定壁の河川側側面と河川側の内側壁が接触すると共に反対側の壁が受け台により支えられ太い堤防固定円柱により固定された両壁の間に一定幅の空間を保有するコ型堤防鉄板、又は  太い堤防固定円柱を貫通し嵌め合う穴を保有する管を壁の側面に備えると共に底部はコンクリート溝と嵌め合う堤防鉄板或いはコンクリート堤防壁と、それぞれの前記堤防鉄板又は前記太い堤防固定円柱に備えられた前記外側回転子支承部を保持する発電部材保持部材を具備する。
前記外側回転子支承部の底部を保持する高さ１０メートル以上のそれぞれの前記堤防鉄板又は太い堤防固定円柱は川岸両岸或いは川岸両岸近傍の川底に設置される。橋梁或いは鉄道の鉄橋を内部で包容する鉄製トンネルが設置され、前記鉄板製トンネルと前記水力発電部材又は風力発電部材を備えたそれぞれの前記堤防鉄板とが隙間のないように溶接すれば洪水又は津波を防止できる。前記鉄板製トンネルは例えば二つの半円形鉄板を溶接して製造される。
洪水防止堤防の第一実施態様を川岸の両岸に設置する場合、前記円板型内側回転子或いは円板型円筒内側回転子は複数の水力用ブレード又は風力用ブレードを略等間隔の角度で斜め方向に配置された複数の回転翼をそれぞれの前記堤防鉄板の両側に具備するとともに前記外側回転子支承部が川岸の両岸に設置されたそれぞれの前記堤防鉄板の上部により保持される実施例も可能で、あらゆる方向の風に対して前記堤防鉄板の両側の前記複数の回転翼が回転可能となる。
河川で水力発電及び風力発電を兼用する実施例は、先端に河川の流れを受ける翼を備え略等間隔の角度で斜め方向に配置された複数の風力用ブレードを具備する前記円板型内側回転子或いは円板型円筒内側回転子が河川の流れにも応じて回転可能となる。
【００１０】  本発明による津波防止堤防の第一実施態様は、複数の風力用ブレードを略等間隔の角度で斜め方向に配置された複数の回転翼を保持し海面より上部で回転する円板型内側回転子或いは円板型円筒内側回転子と  前記円板型内側回転子或いは円板型円筒内側回転子を回転可能に支承する外側回転子支承部であって前記円板型内側回転子或いは円板型円筒内側回転子を内側で支承する前記外側回転子支承部と  前記円板型内側回転子或いは円板型円筒内側回転子が前記外側回転子支承部の内側で回転することにより発電する発電部  を備えた風力発電部材と、堤防固定壁の幅と嵌め合う幅の両壁を底部に備えると共に太い堤防固定円柱を貫通し嵌め合う穴を保有する管を壁の一端に備えた細長い空間を保有するコ型堤防鉄板、或いは  海岸線の海側連続固定壁側面と海側の内側壁が接触すると共に反対側の壁が受け台により支えられ太い堤防固定円柱により固定された両壁の間に一定幅の空間を保有するコ型堤防鉄板、又は  太い堤防固定円柱を貫通し嵌め合う穴を保有する管を壁の一端に備えると共に底部はコンクリート溝と嵌め合う堤防鉄板或いはコンクリート堤防壁と、それぞれの前記堤防鉄板又は前記太い堤防固定円柱に備えられた前記外側回転子支承部を保持する発電部材保持部材を具備する。
本発明による津波防止堤防の第二実施態様は、複数の風力用ブレードを略等間隔の角度で斜め方向に配置された複数の回転翼を保有し中心軸を中心に外側で回転する大型円形回転子と前記大型円形回転子を支承する外側回転子支承部と  前記大型円形回転子が回転することにより発電する発電部  を備えた風力発電部材と、堤防固定壁の幅と嵌め合う幅の両壁を底部に備えると共に太い堤防固定円柱を貫通し嵌め合う穴を保有する管を壁の側面に備えた細長い空間を保有するコ型堤防鉄板、或いは  海岸線の海側連続固定壁側面と海側の内側壁が接触すると共に反対側の壁が受け台により支えられ太い堤防固定円柱により固定された両壁の間に一定幅の空間を保有するコ型堤防鉄板、又は  太い堤防固定円柱を貫通し嵌め合う穴を保有する管を壁の側面に備えると共に底部はコンクリート溝と嵌め合う堤防鉄板或いはコンクリート堤防壁と、それぞれの前記堤防鉄板又は前記太い堤防固定円柱に備えられた前記外側回転子支承部を保持する発電部材保持部材を回転翼を保持する。
前記細長い空間を保有するコ型堤防鉄板或いはコンクリート溝と嵌め合う堤防鉄板或いはコンクリート堤防壁は海岸線の陸或いは海岸線の陸近傍の海底に設置される。
前記外側回転子支承部はそれぞれの前記堤防鉄板又は前記太い堤防固定円柱により保持され、それぞれの前記堤防鉄板又は前記太い堤防固定円柱に半円周以上の円筒状穴の保持部があれば前記外側回転子支承部を確実に保持する。
複数の風力用ブレードを略等間隔の角度で斜め方向に配置された複数の回転翼を保持し海面より上部で回転する前記円板型内側回転子或いは円板型円筒内側回転子は斜め方向に配置された複数の回転翼によりあらゆる方向の風により回転出来る。
海岸線近傍の海底に固定支持する前記発電部材保持部材として５メートル幅の鉄板を垂直に打ち込んで設置されたの海側堤防固定壁側面と海側の内側壁が接触すると共に陸側が受け台により支えられ太い堤防固定円柱により固定された両壁の間に一定幅の空間を保有するコ型堤防鉄板と前記コ型堤防鉄板の上部に半円筒状の保持部を具備する発電部材保持部材で前記外側回転子支承部が確実に固定される。
前記風力発電部材の一実施形態は、中央に歯車と前記歯車の前後にそれぞれ内側回転子或いは円筒内側回転子を保有する円板型内側回転子或いは円板型円筒内側回転子であって複数の風力用ブレードを略等間隔の角度で斜め方向に配置された回転翼により川面又は海面より上部で回転する前記円板型内側回転子或いは円板型円筒内側回転子と  前記歯車の前後の内側回転子或いは円筒内側回転子を回転可能に支承する外側回転支承部であって前後の前記内側回転子或いは円筒内側回転子を内側で支承する前外側回転支承部及び後外側回転支承部を保有すると共に前記歯車の幅より大きな間隔を有する間隔部材で固定された前記外側回転子支承部と  前記円板型内側回転子或いは円板型円筒内側回転子が前記前外側回転支承部及び後外側回転支承部の内側で回転するにより発電する発電部  を備えた風力発電部材と、前記風力発電部材の外側回転子支承部を保持する発電部材保持部材  を具備する。歯車の回転は外側回転子支承部の外形位置に備えられた歯車列を介して発電機の小型歯車に連動される。
【００１１】  本発明の洪水防止堤防を両岸近傍の川底に配置した実施例は、例えば５メートル幅の鉄板を垂直に打ち込んで設置された堤防固定壁と、前記堤防固定壁に嵌め合う幅の両壁を底部に備えると共に太い堤防固定円柱を貫通し嵌め合う穴を保有する管を壁の一端に備えた細長い空間を保有するコ型堤防鉄板、或いは  河川側堤防固定壁側面と河川側の内側壁が接触すると共に反対側の壁が受け台により支えられ太い堤防固定円柱により固定された両壁の間に一定幅の空間を保有するコ型堤防鉄板と、複数の水力用ブレード又は風力用ブレードを略等間隔の角度で斜め方向に配置された複数の回転翼を保持し川面より上部で回転する円板型内側回転子或いは円板型円筒内側回転子と  前記円板型内側回転子或いは円板型円筒内側回転子を回転可能に支承する外側回転子支承部であって前記円板型内側回転子或いは円板型円筒内側回転子を内側で支承する前記外側回転子支承部と  前記円板型内側回転子或いは円板型円筒内側回転子と前記外側回転子支承部の間に介在するボール或いはコロと  前記円板型内側回転子或いは円板型円筒内側回転子が前記外側回転子支承部の内側で回転することにより発電する発電部  を備えた水力発電部材又は風力発電部材と、それぞれの前記堤防鉄板又は前記太い堤防固定円柱に半円筒状の保持部を具備する発電部材保持部材  を具備する。
複数の水力用ブレード又は風力用ブレードを略等間隔の角度で斜め方向に配置された複数の回転翼を保持する前記内側回転子或いは円筒内側回転子の回転に連動する磁石又はコイルが配置され電磁誘導により公知の如く発電を可能にする。前記水力発電部材又は風力発電部材の外側回転子支承部は半円筒状の保持部を備えた前記発電部材保持部材により保持される。
旧来の橋梁或いは鉄道の鉄橋を内部に包容する鉄板製トンネルを設け、前記鉄板製トンネルとそれぞれの前記コ型堤防鉄板を隙間がないように溶接すれば洪水を防止することが出来る。
前記円板型内側回転子或いは円板型内側円筒回転子を内側で支承する前記外側回転子支承部はボール或いはコロを介して回転可能に支承されである。
本実施例の製作工程は、前記外側回転子支承部を分割部品とし川底に設置された前記堤防固定壁に外側回転子支承部下部分割部品を固定支持するステップと、円板型内側回転子或いは円板型円筒内側回転子を形状の同じ分割部品とし、前記ボール或いはコロを介して同じ形状の前記円板型内側回転子分割部品或いは円板型円筒内側回転子分割部品を前記外側回転子支承部下部分割部品の上に組み立てるステップと、前記ボール或いはコロを介して同じ形状の残りの前記円板型内側回転子分割部品或いは円板型円筒内側回転子分割部品及び前記外側回転子支承部の残りの分割部品を組み立て結合するステップによりなる。
【００１２】  川岸の両岸に設置された本発明の第二実施態様の実施例である第一実施例の洪水防止堤防  は、複数の水力用ブレード又は風力用ブレードを略等間隔の角度で斜め方向に配置された複数の回転翼を保持し略垂直の太い堤防固定円柱の上部で中心軸を中心に外側で回転する大型円形回転子と  前記大型円形回転子を支承する外側回転子支承部と  前記大型円形回転子が回転することにより発電する発電部  を備えた水力発電部材又は風力発電部材と、川岸の両岸に設置された５メートル幅のコンクリート堤防固定壁の幅と嵌め合う幅の両壁を底部に備えると共に太い堤防固定円柱を貫通し嵌め合う穴を保有する管を壁の側面に備えた細長い空間を保有するコ型堤防鉄板、或いは  河川側連続壁側面と河川側の内側壁が接触すると共に反対側の壁が受け台により支えられ太い堤防固定円柱により固定された両壁の間に一定幅の空間を保有するコ型堤防鉄板、又は  太い堤防固定円柱を貫通し嵌め合う穴を保有する管を壁の側面に備えると共に底部はコンクリート溝と嵌め合う堤防鉄板と、それぞれの前記堤防鉄板又は前記太い堤防固定円柱に備えられた前記外側回転子支承部を保持する発電部材保持部材を具備する。
河岸の両岸に設置された本発明の第一実施態様の実施例である第二実施例の洪水防止堤防は、川岸の両岸に配置された５メートル幅のコンクリート堤防固定壁の幅と嵌め合う幅の両壁を底部に備えると共に太い堤防固定円柱を貫通し嵌め合う穴を保有する管を壁の一端に備えた細長い空間を保有するコ型堤防鉄板、或いは  河川側連続壁側面と河川側の内側壁が接触すると共に反対側の壁が受け台により支えられ太い堤防固定円柱により固定された両壁の間に一定幅の空間を保有するコ型堤防鉄板、又は  太い堤防固定円柱を貫通し嵌め合う穴を保有する管を壁の一端に備えると共に底部はコンクリート溝と嵌め合う堤防鉄板或いはコンクリート堤防壁と、複数の水力用ブレード又は風力用ブレードを略等間隔の角度で斜め方向に配置された複数の回転翼を保持し川面の上部で回転する円板型内側回転子或いは円板型円筒内側回転子と  前記円板型内側回転子或いは円板型円筒内側回転子を回転可能に支承する外側回転子支承部であって前記円板型内側回転子或いは円板型円筒内側回転子を内側で支承する前記外側回転子支承部と  前記円板型内側回転子或いは円板型円筒内側回転子が前記外側回転子支承部の内側で回転することにより発電する発電部  を備えた水力発電部材又は風力発電部材と、それぞれの前記堤防鉄板又は前記太い堤防固定円柱に備えられた前記外側回転子支承部を保持する発電部材保持部材を具備し前記外側回転子支承部が川岸の両岸のそれぞれの前記堤防鉄板又は前記太い堤防固定円柱半円筒状の保持部により保持される。
旧来の橋梁或いは鉄道の鉄橋を内部に包容する鉄板製トンネルが設置され、前記鉄板製トンネルと前記堤防鉄板とは隙間のないように例えば前記鉄板製トンネルとそれぞれの前記堤防鉄板を溶接すれば洪水を防止することが出来る。
河岸の両岸に堤防鉄板を備えた前記実施例では、川底に配置された発電部材固定壁の上部に半円筒状の保持部を具備すると共に橋梁或いは鉄道の鉄橋を内部に包容する前記トンネルを貫通する円板型円筒内側回転子を備えた水力発電部材又は風力発電部材を配置すればそれぞれの前記発電部材固定壁の両側の垂直方向に配置された前記複数の回転翼により更に水力又は風力発電も可能となる。
【００１３】  本発明の津波防止堤防を海岸線近傍の海底に設置した実施例は、５メートル幅の鉄板を垂直に打ち込んで設置された堤防固定壁と  前記堤防固定壁の海側側面と海側の内側壁が接触すると共に反対側の壁が受け台により支えられ太い堤防固定円柱により固定された両壁の間に一定幅の空間を保有するコ型堤防鉄板と、複数の風力用ブレードを略等間隔の角度で斜め方向に配置された複数の回転翼を保持し海面より上部で回転する円板型内側回転子或いは円板型円筒内側回転子と  前記円板型内側回転子或いは円板型円筒内側回転子を回転可能に支承する外側回転子支承部であって前記円板型内側回転子或いは円板型円筒内側回転子を内側で支承する前記外側回転子支承部と  前記円板型内側回転子或いは円板型円筒内側回転子と前記外側回転子支承部の間に介在するボール或いはコロと  前記円板型内側回転子或いは円板型円筒内側回転子が前記外側回転子支承部の内側で回転することにより発電する発電部  を備えた風力発電部材と、前記コ型堤防鉄板又は太い堤防固定円柱の上部に半円筒状の保持部を具備する風力発電部材保持部材を具備する。前記風力発電部材の外側回転子支承部は前記コ型堤防鉄板又は太い堤防固定円柱の上部に備えられた半円筒状の保持部により保持される。
複数の風力用ブレードを略等間隔の角度で斜め方向に配置された複数の回転翼を保持する前記内側回転子或いは円筒内側回転子に連動する磁石又はコイルが配置され電磁誘導により公知の如く発電を可能にする。
前記円板型内側回転子或いは円板型内側円筒回転子を内側で支承する前記外側回転子支承部はボール或いはコロを介して回転可能に支承されである。
風力発電部材の一実施形態は、中央に歯車と前記歯車の前後にそれぞれ内側回転子或いは円筒内側回転子を保有する円板型内側回転子或いは円板型円筒内側回転子であって複数の風力用ブレードを略等間隔の角度で斜め方向に配置された回転翼により海面より上部で回転する前記円板型内側回転子或いは円板型円筒内側回転子と  前記歯車の前後の内側回転子或いは円筒内側回転子を回転可能に支承する外側回転支承部であって前後の前記内側回転子或いは円筒内側回転子を内側で支承する前外側回転支承部及び後外側回転支承部を保有すると共に前記歯車の幅より大きな間隔を有する間隔部材で固定された前記外側回転子支承部と  前記円板型内側回転子或いは円板型円筒内側回転子が前記前外側回転支承部及び後外側回転支承部の内側で回転するにより発電する発電部  を備えた風力発電部材と、前記風力発電部材の外側回転子支承部を保持する発電部材保持部材を具備する。
本実施例の製作工程は、前記外側回転子支承部を分割部品とし海底に設置された前記堤防固定壁に外側回転子支承部下部分割部品を固定支持するステップと、円板型内側回転子或いは円板型円筒内側回転子を形状の同じ分割部品とし、前記ボール或いはコロを介して同じ形状の前記円板型内側回転子分割部品或いは円板型円筒内側回転子分割部品を前記外側回転子支承部下部分割部品の上に組み立てるステップと、前記ボール或いはコロを介して同じ形状の残りの前記円板型内側回転子分割部品或いは円板型円筒内側回転子分割部品及び前記外側回転子支承部の残りの分割部品を組み立て結合するステップによりなる。
【００１４】    海岸線近傍の陸に設置された本発明の第二実施態様の実施例である第一実施例の津波防止堤防は、複数の風力用ブレードを略等間隔の角度で斜め方向に配置された複数の回転翼を保持し略垂直の太い堤防固定円柱の上部で中心軸を中心に外側で回転する大型円形回転子と  前記大型円形回転子を支承する外側回転子支承部と  前記大型円形回転子が回転することにより発電する発電部  を備えた風力発電部材と、海岸線近傍の陸に設置された５メートル幅のコンクリート堤防固定壁の幅と嵌め合う幅の両壁を底部に備えると共に太い堤防固定円柱を貫通し嵌め合う穴を保有する管を壁の一端に備えた細長い空間を保有するコ型堤防鉄板、或いは  海側連続壁側面と海側の内側壁が接触すると共に反対側の壁が受け台により支えられ太い堤防固定円柱により固定された両壁の間に一定幅の空間を保有するコ型堤防鉄板、又は  太い堤防固定円柱を貫通し嵌め合う穴を保有する管を壁の一端に備えると共に底部はコンクリート溝と嵌め合う堤防鉄板或いはコンクリート堤防壁と、それぞれの前記堤防鉄板又は前記太い堤防固定円柱に備えられた前記外側回転子支承部を保持する風力発電部材保持部材を具備する。
海岸線近傍の陸に設置された本発明の第一実施態様の実施例である第二実施例の津波防止堤防は、海岸線近傍の陸に配置された５メートル幅のコンクリート堤防固定壁の幅と嵌め合う幅の両壁を底部に備えると共に太い堤防固定円柱を貫通し嵌め合う穴を保有する管を壁の一端に備えた細長い空間を保有するコ型堤防鉄板、或いは  海側連続壁側面と海側の内側壁が接触すると共に反対側の壁が受け台により支えられ太い堤防固定円柱により固定された両壁の間に一定幅の空間を保有するコ型堤防鉄板、又は  太い堤防固定円柱を貫通し嵌め合う穴を保有する管を壁の一端に備えると共に底部はコンクリート溝と嵌め合う堤防鉄板或いはコンクリート堤防壁と、複数の風力用ブレードを略等間隔の角度で斜め方向に配置された複数の回転翼を保持し海面の上部で回転する円板型内側回転子或いは円板型円筒内側回転子と  前記円板型内側回転子或いは円板型円筒内側回転子を回転可能に支承する外側回転子支承部であって前記円板型内側回転子或いは円板型円筒内側回転子を内側で支承する前記外側回転子支承部と  前記円板型内側回転子或いは円板型円筒内側回転子が前記外側回転子支承部の内側で回転することにより発電する発電部  を備えた風力発電部材と、それぞれの前記堤防鉄板又は前記太い堤防固定円柱に備えられた前記外側回転子支承部を保持する風力発電部材保持部材を具備し、前記外側回転子支承部がそれぞれの前記堤防鉄板又前記は太い堤防固定円柱の上部に備えられた半円筒状の保持部により保持される。